(57)【要約】【課題】複数のマイコンを有していて製造工程にてマイコンのデータの書き換えを行なう場合などに、一斉に行うことが出来るようにする。【解決手段】誘導加熱部１２を制御する制御手段および無線通信を行う制御部無線通信手段１５を含む制御部１４と、操作手段および無線通信を行なう操作部無線通信手段１９を含む操作部１７と、前記操作部１７からの情報に基づいて表示を行なう表示手段および無線通信を行なう表示部無線通信手段２４を含む表示部２０とを備え、制御部１４と操作部１７と表示部２０はそれぞれ相互に無線通信を行なうとともに、外部機器ともそれぞれ個別に無線通信を行なうことが可能な構成とすることにより、機器の製造工程にて書き換えを行なう場合などに、一斉に行うことが可能となり書き換えに要する時間を短縮することが可能となり、製造工程でのコストを削減し、より安価な機器を提供することが出来る。【選択図】図３
2010267508.tif 000002
【特許請求の範囲】
【請求項１】
加熱コイルとスイッチング手段を含む誘導加熱部と、誘導加熱部を制御する制御手段および無線通信を行う制御部無線通信手段を含む制御部と、操作手段および無線通信を行なう操作部無線通信手段を含む操作部と、前記操作部からの情報に基づいて表示を行なう表示手段および無線通信を行なう表示部無線通信手段を含む表示部とを備え、制御部と操作部と表示部はそれぞれ相互に無線通信を行なうとともに、外部機器ともそれぞれ個別に無線通信を行なうことが可能な構成とした誘導加熱調理器。
【請求項２】
ロック手段を有し、外部機器によって制御部や操作部もしくは表示部の動作内容を書き換えることを禁止したり禁止を解除することができる構成とした請求項１に記載の誘導加熱調理器。
【請求項３】
ロック手段による書き換え許可もしくは禁止の状態を表示部にて表示する構成とした請求項２に記載の誘導加熱調理器。
【請求項４】
ロック手段にて、外部機器による制御部と操作部と表示部の動作プログラムを書き換えることを全て一斉に禁止したり禁止を解除することができる構成とした請求項２または３に記載の誘導加熱調理器。
【発明の詳細な説明】
【技術分野】
【０００１】
本発明は、一般家庭のキッチンやレストランなどで使用される誘導加熱調理器に関するものである。
【背景技術】
【０００２】
従来、この種の誘導加熱調理器は、使用者が使用する際に入力する操作部１０５や、操作部１０５に入力された命令に従って感温素子１０６などの検知回路からの情報に基づき加熱制御を行う制御部１０４や、加熱制御の状態を表示する第１の表示手段５４などで構成され、操作部１０５や制御部１０４はそれぞれにマイコンを有し、互いにマイコンで通信制御しながらＲＯＭに記憶されている所定の動作に従って機器を動作させる構成となっている。またその場合に表示部を簡素化し操作部１０５にて表示の制御を行う場合もある（例えば、特許文献１参照）。
【０００３】
また、近年、機器の性能が向上するにつれて、その制御が複雑化し、製造工程にて、例えば検知温度の補正や火力の調整などといったような変更を、マイコンやそれを補う記憶手段の内容を書き換えることにより行なうことが増加している。
【０００４】
更に、機器の故障時にその原因を特定するために、使用時間や使用時の火力といったデータを記憶手段などに記憶しておき、故障診断に役立てることなどもある。そして複数の制御モジュールなどで構成される場合には、メインモジュールにて一括して外部機器と通信を行い、メインモジュールを介して各制御モジュールにつながるようにし、接続を簡潔に構成することができるものもある（例えば、特許文献２参照）。
【先行技術文献】
【特許文献】
【０００５】
【特許文献１】特開２００１−３５７９６７号公報
【特許文献２】特開２００６−２８６２８６号公報
【発明の概要】
【発明が解決しようとする課題】
【０００６】
しかしながら、前記従来の構成では、例えば、製造工程にて操作部や制御部および表示部のマイコンのＲＯＭや記憶手段の内容を一斉に書き換える場合などに、時間がかかるという課題を有していた。
【０００７】
また、書き換えを行なう際のプログラム上のロックとなるキーコードは有しているが、完成品状態での全ての書き換えを禁止したり許可したりする切替を行なうことができないという課題を有していた。
【０００８】
本発明は、前記従来の課題を解決するもので、製造工程にて書き換えを行なう場合などに、一斉に行うことが可能となり書き換えに要する時間を短縮することが出来るとともに、書き換え後に機器の完成品の状態にて書き換えを禁止し、以後の書き換えを行なえないようにすることができ、製造工程でのコストを削減し、かつ機器としての信頼性を高めた誘導加熱調理器を提供することを目的とする。
【課題を解決するための手段】
【０００９】
前記従来の課題を解決するために、本発明の誘導加熱調理器は、制御部と操作部と表示部はそれぞれ相互に無線通信を行なうとともに、外部機器ともそれぞれ個別に無線通信を
行なうことが可能な構成としたものである。また、ロック手段を有し、外部機器によって制御部や操作部もしくは表示部の動作内容を書き換えることを一括して禁止したり禁止を解除することができる構成としたものである。
【００１０】
これにより、製造工程での機器の製造工程にて書き換えを行なう場合などに、一斉に行うことが可能となり書き換えに要する時間を短縮することが可能となり、製造工程でのコストを削減し、より安価な機器を提供することが出来る。
【発明の効果】
【００１１】
本発明の誘導加熱調理器は、製造工程での機器の製造工程にて書き換えを行なう場合などに、一斉に行うことが可能となり書き換えに要する時間を短縮することが可能となり、製造工程でのコストを削減し、より安価な機器を提供することが出来る。
【図面の簡単な説明】
【００１２】
【図１】本発明の実施の形態１における誘導加熱調理器の外観図
【図２】本発明の実施の形態１における誘導加熱調理器の断面から見たブロック図
【図３】本発明の実施の形態１における誘導加熱調理器の回路ブロック図
【図４】本発明の実施の形態１における誘導加熱調理器の外部からのデータ書き換え動作を示すフローチャート
【図５】本発明の実施の形態２における誘導加熱調理器の外部からのデータ書き換えのロックおよびロック解除を一斉に行う際の動作を示すフローチャート
【図６】従来の誘導加熱調理器のブロック図
【発明を実施するための形態】
【００１３】
第１の発明は、加熱コイルとスイッチング手段を含む誘導加熱部と、誘導加熱部を制御する制御手段および無線通信を行う制御通信手段を含む制御部と、操作手段および無線通信を行なう操作通信手段を含む操作部と、前記操作部からの情報に基づいて表示を行なう表示手段および無線通信を行なう表示通信手段を含む表示部とを備え、制御部と操作部と表示部はそれぞれ相互に無線通信を行なうとともに、外部機器ともそれぞれ個別に無線通信を行なうことが可能な構成としたことにより、製造工程での機器の製造工程にて書き換えを行なう場合などに、一斉に行うことが可能となり書き換えに要する時間を短縮することが可能となり、製造工程でのコストを削減し、より安価な機器を提供することが出来る。
【００１４】
第２の発明は、特に、第１の発明において、ロック手段を有し、外部機器によって制御部や操作部もしくは表示部の動作内容を書き換えることを禁止したり禁止を解除することができる構成としたことにより、書き換え後に機器の完成品の状態にて書き換えを禁止し、以後の書き換えを行なえないようにすることができ、機器としての信頼性を高めた誘導加熱調理器を提供することが出来る。
【００１５】
第３の発明は、特に、第２の発明において、ロック手段による書き換え許可もしくは禁止の状態を表示部にて表示する構成としたことにより、書き換え後に書き換え禁止にした場合などに、表示手段にて表示させることにより、書き換え禁止状態であることを確実に認識することができ、機器としての信頼性を更に高めた誘導加熱調理器を提供することが出来る。
【００１６】
第４の発明は、特に、第２または第３の発明において、ロック手段にて、外部機器による制御部と操作部と表示部の動作プログラムを書き換えることを全て一斉に禁止したり禁止を解除することができる構成としたことにより、製造工程にて書き換えを行なった後に書き換えを禁止にしたい場合などに、制御部と操作部と表示部のそれぞれのマイコンに対
して一括して書き換え禁止の状態にすることにより、より短時間で簡潔に行なうことができ、製造工程でのコストを削減し、より安価な機器を提供することが出来る。
【００１７】
以下、本発明の実施の形態について、図面を参照しながら説明する。なお、この実施の形態によって本発明が限定されるものではない。
【００１８】
（実施の形態１）    
図１は、本発明の第１の実施の形態における誘導加熱調理器の外観図である。
【００１９】
図１において、加熱コイル１ａ，１ｂ，１ｃで形成される誘導加熱部は、本体手前から見て左右と奥の合計３箇所に配置されている。被加熱物（図示せず）を載置するガラスなどの電気絶縁物の光透過性の高いトッププレート２、トッププレート２に配置された天面操作表示部３、加熱調理器の前面に配置されたカンガルー操作部４から構成されている。また、鶏肉などを焼くグリル部５を備えている。
【００２０】
図２は、本発明の第１の実施の形態における誘導加熱調理器の断面から見たブロック図である。図２において、誘導加熱部１２ａ，調理容器７、加熱コイル１ａ、加熱コイル１ａの中央に配置された温度検知手段６を備え、温度検出手段６は、トッププレート２を介して、被加熱物からの温度を検出する構成となっている。
【００２１】
また、図３は、本発明の第１の実施の形態における誘導加熱調理器の回路ブロック図である。図３において、商用交流電源８を整流する整流回路９は、ダイオードブリッジで構成される。加熱コイル１ａ、１ｂ、１ｃに高周波電流を供給する誘導加熱部１２ａ、１２ｂ、１２ｃは、図１で示した３つの加熱コイルそれぞれに対応したものが存在しており、機器を使用者から見たときに左側にある誘導加熱部１ａを構成する加熱コイルには誘導加熱部１２ａ、右側の加熱コイル１ｂには誘導加熱部１２ｂ、後ろ側の加熱コイル１ｃには誘導加熱部１２ｃが高周波電流を供給する構成となっている。
【００２２】
そして、誘導加熱部１２ａ、１２ｂ、１２ｃの電力制御はスイッチング素子のオン時間で一般的に制御され、その制御は制御部マイコン１３ａ、１３ｂ、１３ｃを含む制御部１４ａ、１４ｂ、１４ｃにて行われる。制御部１４ａ、１４ｂ、１４ｃの中には、マイコン間や外部との無線通信を行なう制御部無線通信手段１５ａ、１５ｂ、１５ｃがあり、通常の機器の動作時は、後述する操作部マイコン１８の通信をこの制御部無線通信手段１５ａ、１５ｂ、１５ｃを介して行う構成となっている。
【００２３】
そして、操作部１７の一部を成すスイッチ１６に、使用者からの命令が入ると操作部マイコン１８に伝えられ、操作部無線通信手段１９を通じて制御部マイコン１３ａ、１３ｂ、１３ｃや後述する表示部マイコン２３との通信を行う。また、表示部２０は表示素子としてのＬＣＤ２１と複数個のＬＥＤから成るＬＥＤ群２２があり、表示部マイコン２３の制御によって、ＬＥＤ群２２の表示が行なわれる。
【００２４】
ここで、制御部１４や操作部１７と同様に、表示部２０にも表示部無線通信制御手段２４があり、表示部マイコン２３と操作部マイコン１８との通信制御を行う。
【００２５】
ここで、無線通信について簡単に説明すると、マイコン間及びマイコンと外部間の通信は一般的に距離が短いので、近距離の無線通信が出来れば充分である。
【００２６】
近年の方式でいうと、デバイス間を２．４ＧＨｚの周波数帯を用いて電波での情報のやりとりを行うＢｌｕｅｔｏｏｔｈと呼ばれるやり方や、家電向けの短距離無線通信規格の一つであるＺｉｇＢｅｅと呼ばれるものがあり、上述の仕様を用いて簡単にマイコン間及
びマイコンと外部を無線通信することが可能である。
【００２７】
また、このように、マイコン間を無線通信とすることにより、各制御部１４ａ，１４ｂ，１４ｃと操作部１７及び表示部２０を繋ぐ配線を削減することが出来、組立工数が減らせるとともに、誘導加熱調理器の特徴である誘導加熱部１２ａ，１２ｂ，１２ｃが発熱するため，一般的に内部を強制的に冷却するファンを有する構成となっているが、その冷却風を配線が妨げることを防ぐ効果もある。
【００２８】
そして、外部調整機器２５ａ、２５ｂ、２５ｃ、２５ｄ、２５ｅは、制御部無線通信手段１５ａ、１５ｂ、１５ｃや操作部無線通信手段１９、表示部無線通信手段２４と機器の外部から通信を行い、それぞれに対応する制御部マイコン１３ａ、１３ｂ、１３ｃや操作部マイコン１８や表示部マイコン２３のデータを書き換えるものである。
【００２９】
以上のように構成された誘導加熱調理器について、以下その動作、作用を説明する。
【００３０】
ここで通信の一例を挙げる。先ず、使用者が加熱を開始する命令をスイッチ１６にて行なったとする。すると、操作部１７の操作部マイコン１８に信号が伝わり、制御部１４ａの制御部マイコン１３ａと表示部２０の表示部マイコン２３に伝達するために操作部無線通信手段１９を介して、制御部無線通信手段１５と表示部無線通信手段２４に加熱開始の命令を伝達する。
【００３１】
命令を受け取った制御部１４ａの制御部マイコン１３ａは誘導加熱部１２ａの制御を開始し、加熱コイル１ａに高周波電流を供給することにより、鍋の加熱を開始する。一方、命令を受け取った表示部２０の表示部マイコン２３は、加熱を開始した旨を示す表示をするためにＬＣＤ２１及びＬＥＤ群２２を制御して点灯させる。
【００３２】
また、図示していないが、各誘導加熱部への入力電流を検知する入力電流検知手段や、電源電圧を検知する電圧検知手段があり、その電圧検知手段で検知した電圧と、入力電流検知手段で検知した電流の積から各々の出力電力を求め、火力の設定どおりになるように、制御部マイコン１３ａ、１３ｂ、１３ｃにてスイッチング素子を制御する。
【００３３】
更には前述した温度検知手段６の入力に基づいて、制御部マイコン１３ａ、１３ｂ、１３ｃにて加熱制御を行い、例えば、異常に温度が上昇していることを温度検知手段６にて検知した場合には、制御部マイコン１３ａ、１３ｂ、１３ｃにて誘導加熱部１２ａ，１２ｂ，１２ｃの動作を制御し，火力を落としたり加熱停止させたりするとともに、揚げ物の調理のような場合において、鍋が一定の温度で制御されるように温度検知手段６で検知した温度に応じて制御部１４ａ、１４ｂ、１４ｃにて誘導加熱部１２ａ，１２ｂ，１２ｃの出力を制御する構成となっている。
【００３４】
また図４は、本発明の第１の実施の形態における誘導加熱調理器の外部からのデータ書き換え動作を示すフローチャートである。図４において、ここでは操作部マイコン１８を書き換える例として、以下にその動作を説明する。
【００３５】
まず，ステップＳ１にて、外部調整機器２５ｄからデータ書き換え対象の操作部マイコン１８を指定するアドレスデータを送信する。続いて、ステップＳ２にて操作部無線通信手段１９を介して対象の操作部マイコン１８が受信をしたかどうかを判断する。
【００３６】
ここで後述するステップにて受信が完了していれば、所定時間内に外部調整機器２５ｄにその旨のデータが送信されるが、Ｓ２にて受信が出来ていないと所定時間経過しても外部調整機器２５ｄにはデータが送信されない。そしてステップＳ３へ移行し外部調整機器
２５ｄにて、データ転送が出来ず、データ書き換えが出来なかった旨の表示を行う。
【００３７】
ステップＳ２にて操作部マイコン１８にて正常に受信すると、次にステップＳ４にてデータ書き換えのロックがされているかどうかを判断する。この書き換えのロックには色々な手段が考えられるが、例えば、操作部マイコン１８のある特定の端子への入力がハイかローかで設定を切り替えることも可能であるし、もしくは、ロックおよびロック解除を行う特定のキー操作を設定しておき、そのキー操作で行われた状態を、マイコン内部もしくは外部のメモリーにて記憶させておくことも出来る。
【００３８】
ステップＳ４にて書き換えがロック状態である場合にはステップＳ５へ移行し、表示部２０を制御する表示部マイコン２３にてＬＣＤ２１もしくはＬＥＤ群２２に、書き換えがロック状態で、書き換えを行うことが出来なかった旨の表示を行う。
【００３９】
ステップＳ４にて書き換えがロック状態で無かった場合にはステップＳ６へ移行し、操作部マイコン１８から操作部無線通信手段１９を介して外部調整機器２５ｄへ、正常に受信したことを送信する。
【００４０】
すると次にステップＳ７にて外部調整機器２５ｄから書き換えデータの送信を行う。そしてステップＳ８にて書き換えデータの受信が完了したかどうかの判断を行い、データの受信が完了した場合にはステップＳ１０へ移行し、操作部マイコン１８から外部調整機器２５ｄにデータの受信が完了したことを送信する。
【００４１】
もしステップＳ８にて書き換えデータの受信が完了しなかった場合には、ステップＳ９へ移行し、表示部２０を制御する表示部マイコン２３にてＬＣＤ２１もしくはＬＥＤ群２２に書き換えが完了しなかった旨を表示する。
【００４２】
上記では操作部マイコン１８の書き換えの場合を例にしたが、制御部マイコン１３ａ、１３ｂ、１３ｃや表示部マイコン２３の書き換えの場合も同様の手順である。そして上記の一連の動作を各マイコンがそれぞれ独立して行うことが出来、機器のマイコンすべてを一斉に書き換えを行うことが可能で、書き換えに要する時間を短縮することが可能となり、製造工程でのコストを削減し、より安価な機器を提供することが出来る。
【００４３】
尚、書き換え時のエラーを表示手段にて表示する場合には、書き換えエラーが同時に複数発生することも考えられ、書き換えエラーの優先順位を決めて表示する構成とすることが必要であることは言うまでもない。
【００４４】
また、書き換えのロックがされているかどうかを表示部にて表示できる構成とすることにより、書き換えの前に、ロックされているかどうかを表示部に表示させて、事前に確認することが可能となり、書き換えエラーを事前に防ぎ、書き換え時のロスを減らすことが出来る。
【００４５】
尚、マイコン間の通信を操作部１７の操作部マイコン１８を基点として制御部マイコン１３ａ、１３ｂ、１３ｃや表示部マイコン２３と通信を行う構成としたが、これに限定するものではなく、例えば表示部２０の表示部マイコン２３を基点としても同様であることは言うまでもない。
【００４６】
（実施の形態２）
図５は、本発明の第２の実施の形態における誘導加熱調理器の外部からのデータ書き換えのロックおよびロック解除を一斉に行う際の動作を示すフローチャートである。
【００４７】
図５において、まずステップ１にて外部機器から操作部１７の操作部マイコン１８がデータを受信したとする。するとステップＳ２に移行し、そのデータが全てのマイコンの書き換えロックする命令であるかどうか判断する。
【００４８】
もしここで、全てのマイコンの書き換えをロックする命令がある場合にはステップＳ４に移行する。そしてまず、この命令を受信した操作部１７の操作部マイコン１８自身を書き換えを禁止するロック状態にする。
【００４９】
そして次にステップＳ５へ移行し、他のマイコン全てに書き換えロックの命令を送信し、全てのマイコンを書き換え禁止のロック状態にする。
【００５０】
ステップＳ２にて書き換えロックの命令でない場合にはステップＳ３に移行する。そしてステップＳ３で、データが全てのマイコンの書き換えロックを解除する命令であるかどうか判断する。
【００５１】
もし、全てのマイコンの書き換えロックを解除する命令である場合には、ステップＳ６へ移行し、まずはこの命令を受信した操作部１７の操作部マイコン１８自身を書き換え可能とするロック解除の状態にする。
【００５２】
そして次にステップＳ７へ移行し、操作部無線通信手段１９を介して他のマイコン全てに書き換えロック解除の命令を送信し、全てのマイコンを書き換え可能なロック解除状態にする。
【００５３】
以上のように、本実施の形態においては、外部機器による制御部１４ａ，１４ｂ，１４ｃと操作部１７と表示部２０の動作プログラムを書き換えることを全て一斉に禁止したり，禁止を解除することができ、製造工程にて書き換えを行なった後に書き換えを禁止にしたい場合などに、制御部と操作部と表示部のそれぞれのマイコンに対して一括して書き換え禁止の状態にすることにより、より短時間で簡潔に行なうことができ、製造工程でのコストを削減し、より安価な機器を提供することが出来る。
【００５４】
尚、書き換えのロックやロック解除の命令は外部機器からの通信でも可能であるし、もしくは、操作部における特殊な操作（例えば特定の３つのキーの同時押し）にて命令する構成としてもよい。
【産業上の利用可能性】
【００５５】
このように、本発明にかかる誘導加熱調理器は、複数のマイコンを有し、それぞれが無線通信手段にてマイコン間および外部と通信可能で、同時にそれぞれのマイコンが個別にデータを書き換えることができ、書き換えに要する時間を短縮することが可能となるので、誘導加熱調理器をはじめとした複数のマイコンを有する家電製品全般の用途にも適用できる。
【符号の説明】
【００５６】
１ａ、１ｂ、１ｃ  加熱コイル
１２ａ、１２ｂ、１２ｃ  誘導加熱部
１３ａ、１３ｂ、１３ｃ  制御部マイコン（制御手段）
１４ａ、１４ｂ、１４ｃ  制御部
１５ａ、１５ｂ、１５ｃ  制御部無線通信手段
１６  スイッチ（操作手段）
１７ａ、１７ｂ、１７ｃ  操作部
１９  操作部無線通信手段
２０  表示部
２１  ＬＣＤ（表示手段）
２２  ＬＥＤ群（表示手段）
２４  表示部無線通信手段
２５ａ、２５ｂ、２５ｃ、２５ｄ、２５ｅ  外部調整機器
【図１】
2010267508.tif 000003
【図２】
2010267508.tif 000004
【図３】
2010267508.tif 000005
【図４】
2010267508.tif 000006
【図５】
2010267508.tif 000007
【図６】
2010267508.tif 000008